(57)【要約】【課題】姿勢調整が必要な複数の光学部品等を調整する調整部材が重なりあっていない場合に比較して、小型化が可能となる光走査装置及び画像形成装置を得る。【解決手段】反射ミラー１１６Ｙ〜１１６Ｋの位置調整を行い、側壁１０２Ｇに固定する。次に、シングルレーザビームアレイ１０８Ｋを発光させ、検知基板１３０を矢印Ｈの方向に移動させながら、検知基板１３０の位置調整を行う。このとき、検知基板１３０とブラケット１１１Ｃ及び１１１Ｋとはオーバーラップして配置されているので、検知基板１３０とブラケット１１１Ｃ及び１１１Ｋとは干渉しない。このため、光走査装置１００を小型化した場合でも、各調整部材の大きさを変更する必要はなく、調整の作業性が維持される。【選択図】図２
2008155410.tif 000002
【特許請求の範囲】
【請求項１】
光源から出射された光ビームを偏向器で偏向し、光学部品によって被走査体表面を走査させる光走査装置において、
光走査装置の筐体の外側から前記光源及び前記光学部品をそれぞれ独立に姿勢調整する複数の調整部材を備え、少なくとも一組の隣接する前記調整部材が接触せずに重なりあっていることを特徴とする光走査装置。
【請求項２】
複数の前記光源を備え、前記光ビームの光路の下流側に位置する前記光源の姿勢を調整する下流側光源調整部材を、前記光ビームの光路の上流側に位置する前記光源の姿勢を調整する上流側光源調整部材よりも前記筐体の外壁から離して配置することを特徴とする請求項１に記載の光走査装置。
【請求項３】
前記複数の光源が、黒用と黒以外用からなり、前記黒用の光源の姿勢を調整する黒用調整部材は、前記黒以外用の光源の姿勢を調整する黒以外用調整部材よりもハウジングの外壁に近いことを特徴とする請求項２に記載の光走査装置。
【請求項４】
複数の前記光学部品を備え、前記光ビームの光路の下流側に位置する前記光学部品の姿勢を調整する下流側光学部品調整部材を、前記光ビームの光路の上流側に位置する前記光学部品の姿勢を調整する上流側光学部品調整部材よりも前記筐体の外壁から離して配置することを特徴とする請求項１から請求項３のいずれか１項に記載の光走査装置。
【請求項５】
前記調整部材により、前記光源、前記光学部品、そして、被走査体面への書込みの同期をとるセンサの順で位置調整されたことを特徴とする請求項２から請求項４のいずれか１項に記載の光走査装置。
【請求項６】
請求項１から請求項６のいずれか１項に記載の光走査装置と、
前記光走査装置によって潜像が形成される被走査体と、
前記被走査体に形成された潜像を現像剤で顕在化して現像剤像を形成する現像部と、
前記現像部で顕在化された前記現像剤像を記録媒体上に転写する転写部と、
前記転写部で転写された前記現像剤像を前記記録媒体上に定着する定着部と、
を備えたことを特徴とする画像形成装置。
【発明の詳細な説明】
【技術分野】
【０００１】
本発明は、光走査装置及び画像形成装置に関する。
【背景技術】
【０００２】
従来、プリンタや複写機等の画像形成装置において、光源から出射された光ビームをポリゴンミラーで偏向し、反射ミラー等の光学部品で光ビームの反射方向等を調整して感光体表面を走査させる光走査装置が広く利用されている。
【０００３】
光走査装置の一例として、レーザー光源から出射されたレーザービームをコリメートレンズで平行光としたのち、回転多面鏡に入射させ、回転多面鏡の回転で主走査方向に偏向する光走査装置がある（例えば、特許文献１参照）。
【０００４】
この光走査装置には、光学部品の反射ミラーをハウジング外壁に設けられた回転調整部材で回転させ、レーザービームの方向を調整した後、ねじで回転調整部材を固定する光学部品の回転調整機構が設けられている。
【特許文献１】特許第３４７０５５５
【発明の開示】
【発明が解決しようとする課題】
【０００５】
本発明は、姿勢調整が必要な複数の光学部品等を調整する調整部材が重なりあっていない場合に比較して、小型化が可能となる光走査装置及び画像形成装置を得ることを目的とする。
【課題を解決するための手段】
【０００６】
本発明の請求項１に係る光走査装置は、光源から出射された光ビームを偏向器で偏向し、光学部品によって被走査体表面を走査させる光走査装置において、光走査装置の筐体の外側から前記光源及び前記光学部品をそれぞれ独立に姿勢調整する複数の調整部材を備え、少なくとも一組の隣接する前記調整部材が接触せずに重なりあっていることを特徴としている。
【０００７】
本発明の請求項２に係る光走査装置は、複数の前記光源を備え、前記光ビームの光路の下流側に位置する前記光源の姿勢を調整する下流側光源調整部材を、前記光ビームの光路の上流側に位置する前記光源の姿勢を調整する上流側光源調整部材よりも前記筐体の外壁から離して配置することを特徴としている。
【０００８】
本発明の請求項３に係る光走査装置は、前記複数の光源が、黒用と黒以外用からなり、前記黒用の光源の姿勢を調整する黒用調整部材は、前記黒以外用の光源の姿勢を調整する黒以外用調整部材よりもハウジングの外壁に近いことを特徴としている。
【０００９】
本発明の請求項４に係る光走査装置は、複数の前記光学部品を備え、前記光ビームの光路の下流側に位置する前記光学部品の姿勢を調整する下流側光学部品調整部材を、前記光ビームの光路の上流側に位置する前記光学部品の姿勢を調整する上流側光学部品調整部材よりも前記筐体の外壁から離して配置することを特徴としている。
【００１０】
本発明の請求項５に係る光走査装置は、前記調整部材により、前記光源、前記光学部品、そして、被走査体面への書込みの同期をとるセンサの順で位置調整されたことを特徴としている。
【００１１】
本発明の請求項６に係る画像形成装置は、請求項１から請求項６のいずれか１項に記載の光走査装置と、前記光走査装置によって潜像が形成される被走査体と、前記被走査体に形成された潜像を現像剤で顕在化して現像剤像を形成する現像部と、前記現像部で顕在化された前記現像剤像を記録媒体上に転写する転写部と、前記転写部で転写された前記現像剤像を前記記録媒体上に定着する定着部と、を備えたことを特徴としている。
【発明の効果】
【００１２】
本発明は、上記構成としたので、
請求項１記載の発明によれば、姿勢調整が必要な複数の光学部品等を調整する調整部材が重なり合っていない場合に比較して、小型化が可能となる。
【００１３】
請求項２記載の発明によれば、姿勢調整が必要な複数の光学部品等を調整する調整部材が重なり合っていない場合に比較して、調整済みの調整部材に手等が接触することを防止できる。
【００１４】
請求項３記載の発明によれば、姿勢調整が必要な複数の光学部品等を調整する調整部材が重なり合っていない場合に比較して、光学部品の調整が容易となる。
【００１５】
請求項４記載の発明によれば、姿勢調整が必要な複数の光学部品等を調整する調整部材が重なり合っていない場合に比較して、調整済みの調整部材に手等が接触することを防止できる。
【００１６】
請求項５記載の発明によれば、姿勢調整が必要な複数の光学部品等を調整する調整部材が重なり合っていない場合に比較して、調整済みの調整部材に手等が接触することを防止できる。
【００１７】
請求項６記載の発明によれば、姿勢調整が必要な複数の光学部品等を調整する調整部材が重なり合っていない場合に比較して、画像形成装置を小型化することができる。
【発明を実施するための最良の形態】
【００１８】
本発明の光走査装置及び画像形成装置の第１実施形態を図面に基づき説明する。
【００１９】
図１には、画像形成装置としてのプリンタ１０が示されている。
【００２０】
プリンタ１０には、画像形成時に光ビーム６０Ｙ、６０Ｍ、６０Ｃ、６０Ｋを出射して露光を行う光走査装置１００が設けられている。
【００２１】
光走査装置１００は、光学部品を収容した光学箱１０２を備えている。光学箱１０２の上方には、円柱状のシャフト１３８が紙面の手前側から奥側に向けて設けられており、光学箱１０２の下端部には突起１０２Ｄが形成されている。
【００２２】
また、光走査装置１００は、突起１０２Ｄが筐体１２に形成された穴部１３に嵌めこまれ、シャフト１３８が図示しない係止部において係止されることにより、プリンタ１０内に固定され、また、着脱可能となっている。
【００２３】
光走査装置１００に隣接する位置には、光走査装置１００及びプリンタ各部の動作を制御する制御ユニット５０が設けられている。
【００２４】
プリンタ１０の下方側には、記録用紙Ｐを収納する用紙収納箱１４が設けられている。用紙収納箱１４の上方には、記録用紙Ｐの先端部位置を調整する一対のレジストローラ１６が設けられている。
【００２５】
プリンタ１０の中央部には、画像形成ユニット１８が設けられている。
【００２６】
画像形成ユニット１８は、イエロー（Ｙ）、マゼンタ（Ｍ）、シアン（Ｃ）、及び ブラック（Ｋ）の各トナーに対応して、４つの感光体ドラム２０Ｙ、２０Ｍ、２０Ｃ、２０Ｋを備えており、これらが上下に並んだタンデム式となっている。
【００２７】
感光体ドラム２０Ｙ、２０Ｍ、２０Ｃ、２０Ｋの回転方向上流側には、感光体ドラム２０Ｙ、２０Ｍ、２０Ｃ、２０Ｋの表面を帯電する帯電ローラ２２Ｙ、２２Ｍ、２２Ｃ、２２Ｋが設けられている。
【００２８】
また、感光体ドラム２０Ｙ、２０Ｍ、２０Ｃ、２０Ｋの回転方向下流側には、Ｙ、Ｍ、Ｃ、Ｋの各トナーでそれぞれ感光体２０Ｙ、２０Ｍ、２０Ｃ、２０Ｋ上にトナー画像を形成する現像器２４Ｙ、２４Ｍ、２４Ｃ、２４Ｋが設けられている。
【００２９】
一方、感光体ドラム２０Ｙ、２０Ｍには第１中間転写体２６が接触し、感光体ドラム２０Ｃ、２０Ｋには第２中間転写体２８が接触している。そして、第１中間転写体２６、第２中間転写体２８には第３中間転写体３０が接触している。
【００３０】
第３中間転写体３０と対向する位置には、転写ロール３２が設けられている。転写ロール３２と第３中間転写体３０とで挟まれる領域を記録用紙Ｐが搬送され、第３中間転写体３０上のトナー画像を記録用紙Ｐに転写させる。
【００３１】
記録用紙Ｐが搬送される用紙搬送路３４の下流には、定着装置３６が設けられている。定着装置３６は、加熱ローラ３８と加圧ローラ４０を有しており、記録用紙Ｐを加熱・加圧してトナー画像を記録用紙Ｐ上に定着させる。
【００３２】
トナー画像が定着された記録用紙Ｐは、用紙搬送ローラ４２で用紙受け部４４に輩出される。
【００３３】
ここで、プリンタ１０の画像形成について説明する。
【００３４】
画像形成が開始されると、各感光体ドラム２０Ｙ〜２０Ｋの表面が帯電される。
【００３５】
出力画像に対応した光ビーム６０Ｙ〜６０Ｋが、光走査装置１００から、帯電後の感光体ドラム２０Ｙ〜２０Ｋの表面に照射され、感光体ドラム２０Ｙ〜２０Ｋ上に各色分解画像に応じた静電潜像が形成される。
【００３６】
この静電潜像に対して、現像装置２４Ｙ〜２４Ｋが選択的に各色、すなわちＹ〜Ｋのトナーを付与し、感光体ドラム２０Ｙ〜２０Ｋ上にＹ〜Ｋ色のトナー画像が形成される。
【００３７】
その後、マゼンタ用の感光体ドラム２０Ｍから第１中間転写体２６に、マゼンタのトナー画像が一次転写される。また、イエロー用の感光体ドラム２０Ｙから第１中間転写体２６に、イエローのトナー画像が一次転写され、第１中間転写体２６上で前記マゼンタのトナー画像に重ね合わされる。
【００３８】
一方、ブラック用の感光体ドラム２０Ｋから、第２中間転写体２８にブラックのトナー画像が一次転写される。また、シアン用の感光体ドラム２０Ｃから第２中間転写体２８に、シアンのトナー画像が一次転写され、第２中間転写体２８上で前記ブラックのトナー画像に重ね合わされる。
【００３９】
第１中間転写体２６へ一次転写されたマゼンタとイエローのトナー画像は、第３中間転写体３０へ二次転写される。一方、第２中間転写体２８へ一次転写されたブラックとシアンのトナー画像も、第３中間転写体３０へ二次転写される。
【００４０】
ここで先に二次転写されているマゼンタ 、イエローのトナー画像と、シアンおよびブラックのトナー画像とが重ね合わされ、カラー（３色）とブラックのフルカラートナー画像が第３中間転写体３０上に形成される。
【００４１】
二次転写されたフルカラートナー画像は、第３中間転写体３０と転写ロール３２とで挟まれる領域に達する。そのタイミングに同期して、レジストロール１６から記録用紙Ｐが当該領域に搬送され、記録用紙Ｐ上にフルカラートナー画像が三次転写（最終転写）される。
【００４２】
この記録用紙Ｐは、その後、定着装置３６に送られ、加熱ロール３８と加圧ロール４０とで挟まれる領域を通過する。その際、加熱ロール３８と加圧ロール４０とから与えられる熱と圧力との作用により、フルカラートナー画像が記録用紙Ｐに定着する。定着後、記録用紙Ｐは排出され、記録用紙Ｐへのフルカラー画像形成が終了する。
【００４３】
次に、光走査装置１００について説明する。
【００４４】
まず、光走査装置１００の内部構造について説明する。
【００４５】
図３及び図４に示すように、光走査装置１００は、光学箱１０２を有する。    光学箱１０２は、上部側壁１０２Ａ、下部側壁１０２Ｃを備えており、上部側壁１０２Ａと下部側壁１０２Ｃとで挟まれるように仕切壁１０２Ｂが張架されている。この仕切壁１０２Ｂを境界として、光学箱１０２は、第１ケース部１６６と第２ケース部１６８とに分けられている。
【００４６】
また、光学箱１０２は、側壁１０２Ｅ、１０２Ｆ、及び１０２Ｇを有しており、第１ケース部１６６は、保護カバー１３４を有している。
【００４７】
ここで、第１ケース部１６６の側壁１０２Ｇには、ＬＤホルダ１０４Ｙ〜１０４Ｋに嵌め込まれたシングルレーザビームアレイ１０８Ｙ〜１０８Ｋが、図示しないネジでゆるく仮固定されている。
【００４８】
各シングルレーザビームアレイ１０８Ｙ〜１０８Ｋからは、画像形成時の各色に応じて光ビーム６０Ｙ〜６０Ｋが射出される。
【００４９】
各色光ビーム６０Ｙ〜６０Ｋは、それぞれ側壁１０２Ｇに形成された穴部１７６Ｙ〜１７６Ｋを通り、コリメータレンズ１７８Ｙ〜１７８Ｋを通って、反射ミラー１８０Ｙ〜１８０Ｋで反射される。
【００５０】
続いて、各色光ビーム６０Ｙ〜６０Ｋは、シリンダレンズ１８２を通って、反射ミラー１８４、及び反射ミラー１８６でそれぞれ反射され、ポリゴンミラー１４０に入射される。
【００５１】
ポリゴンミラー１４０は、回転軸１４４を中心として回転する多面鏡１４２を備えており、回転制御基板１４６により回転速度等が制御される。
【００５２】
回転制御基板１４６は、ネジ１７２により仕切壁１０２Ｂの一方の面に固定されている。また、回転制御基板１４６の一端に設けられたコネクタ１７４には、図示しないケーブルの一端が接続され、ケーブルの他端は、前述の制御ユニット５０（図１参照）に接続されている。
【００５３】
ここで、ポリゴンミラー１４０に入射された各色光ビーム６０Ｙ〜６０Ｋは、多面鏡１４２の回転により走査され、反射ミラー１４８で反射されて第２ケース部１６８に導かれる。
【００５４】
次に、図３及び図５に示すように、第２ケース部１６８において、各色光ビーム６０Ｙ〜６０Ｋは、レンズ１５０を通り、第１分離ミラー１５２及び第２分離ミラー１５４に入射される。
【００５５】
第１分離ミラー１５２及び第２分離ミラー１５４は、段違いに配置されている。
【００５６】
第１分離ミラー１５２は、光ビーム６０Ｃ及び６０Ｋを反射する。
【００５７】
第１分離ミラー１５２で反射された光ビーム６０Ｋは、反射ミラー１１６Ｋで反射され、レンズ１６０Ｋを通って感光体ドラム２０Ｋ（図１参照）に導かれる。また、光ビーム６０Ｍは、反射ミラー１５６、１１６Ｃによって反射され、レンズ１６０Ｃを通って感光体ドラム２０Ｃ（図１参照）に導かれる。
【００５８】
一方、第２分離ミラー１５４は、光ビーム６０Ｙ及び６０Ｍを、光ビーム６０Ｃ及び６０Ｋと反対方向に反射する。
【００５９】
第２分離ミラー１５４で反射された光ビーム６０Ｙは、反射ミラー１１６Ｙで反射され、レンズ１６０Ｙを通って感光体ドラム２０Ｙ（図１参照）に導かれる。また、光ビーム６０Ｍは、反射ミラー１５８、１１６Ｍによって反射され、レンズ１６０Ｍを通って感光体ドラム２０Ｍ（図１参照）に導かれる。
【００６０】
なお、レンズ１５０及びレンズ１６０Ｙ〜１６０Ｋにより、それぞれＦθレンズが構成されている。
【００６１】
ここで、光ビーム６０Ｋが感光体ドラム２０Ｋを走査するときのタイミングを把握するために、光ビーム６０Ｋの走査開始を検知する検知基板１３０が側壁１０２Ｇ上に配置されている。
【００６２】
検知基板１３０には、受光素子１３１が設けられている。
【００６３】
受光素子１３１は、入射した光ビーム６０Ｋの光量に応じた電気信号を検知基板１３０上の図示しない回路に出力する。
【００６４】
第２ケース部１６８には、反射ミラー１９０及びレンズ１９２が設けられており、走査開始位置に相当する光ビーム６０Ｋが受光素子１３１に入射される。
【００６５】
これらにより、走査開始位置に相当する光ビーム６０Ｋが受光素子１３１に入射されると、検知基板１３０で走査開始のタイミング信号が生成され、制御ユニット５０（図１参照）に図示しないケーブルによってタイミング信号が伝達される。
【００６６】
次に、光走査装置１００の外部構造について説明する。
【００６７】
図２に示すように、シングルレーザビームアレイ１０８Ｙ〜１０８Ｋを保持するＬＤホルダ１０４Ｙ〜１０４Ｋには、図示しない位置（姿勢）調整用の治具のピンが嵌められる調整用穴１０６Ｙ〜１０６Ｋが形成されている。
【００６８】
ＬＤホルダ１０４Ｙ〜１０４Ｋは、シングルレーザビームアレイ１０８Ｙ〜１０８Ｋの位置調整後にネジ１１０Ｙ〜１１０Ｋで固定される。
【００６９】
一方、側壁１０２Ｇ上には、反射ミラー１１６Ｙ〜１１６Ｋの位置（姿勢）調整を行うためのブラケット１１１Ｙ〜１１１Ｋが設けられている。
【００７０】
ブラケット１１１Ｙ〜１１１Ｋは、それぞれ上部ブラケット１１４Ｙ〜１１４Ｋと、下部ブラケット１１２Ｙ〜１１２Ｋとで構成されている。上部ブラケット１１４Ｙ〜１１４Ｋは、ネジ１２８Ｙ〜１２８Ｋにより下部ブラケット１１２Ｙ〜１１２Ｋ上に固定されている。
【００７１】
上部ブラケット１１４Ｙ〜１１４Ｋ及び下部ブラケット１１２Ｙ〜１１２Ｋには、貫通した挿通穴１２６Ｙ〜１２６Ｋが形成されており、反射ミラー１１６Ｙ〜１１６Ｋを挿通するとともに保持している。
【００７２】
また、反射ミラー１１６Ｙ〜１１６Ｋの端部は、上部ブラケット１１４Ｙ〜１１４Ｋに一端が固定された板バネ１１８Ｙ〜１１８Ｋにより、軸方向（紙面の表から裏に向かう方向）の移動が規制されている。
【００７３】
下部ブラケット１１２Ｙ〜１１２Ｋには、それぞれ一組の長穴１２２Ｙ〜１２２Ｋが形成されている。
【００７４】
長穴１２２Ｙ〜１２２Ｋには、側壁１０２Ｇに立設された支持ボス１２４Ｙ〜１２４Ｋがそれぞれ挿通されている。これにより、ブラケット１１１Ｙ〜１１１Ｋが矢印Ｄ、Ｅ、Ｆ、Ｇ方向に移動可能となっている。
【００７５】
また、ブラケット１１１Ｙ〜１１１Ｋは、反射ミラー１１６Ｙ〜１１６Ｋの位置調整前において、ネジ１２０Ｙ〜１２０Ｋで側壁１０２Ｇ上にゆるく仮固定されている。
【００７６】
一方、検知基板１３０には、長穴１３４が形成されている。長穴１３４に側壁１０２Ｇから突設されたボス１３６が挿通されることで、検知基板１３０は、矢印Ｈ方向に移動可能となっている。
【００７７】
また、検知基板１３０には、長穴１３７が形成されており、長穴１３７にネジ１３２が挿通され、支柱１３３（図５参照）上でゆるく固定されている。
【００７８】
次に、調整部材のオーバーラップ状態について説明する。
【００７９】
図６ａは、図２において側壁１０２Ｇの平面と平行に、矢印Ｐ方向から調整部材としてのブラケット１１１Ｋ及び検知基板１３０を見たときの断面状態を示している。
【００８０】
図６ａに示すように、検知基板１３０は、位置調整後、長穴１３７にネジ１３２が締結されることで、支柱１３３に固定されている。また、下部ブラケット１１２Ｋが、側壁１０２Ｇから突設された図示しない支柱にネジ１２０Ｋ（図２参照）で固定されている。
【００８１】
ここで、検知基板１３０が、ブラケット１１１Ｋよりも側壁１０２Ｇから離れる側に位置するとともに、検知基板１３０とブラケット１１１Ｋとが所定の幅Ｗ１でオーバーラップするように配置されている。
【００８２】
一方、図６ｂは、図２において側壁１０２Ｇの平面と平行に、矢印Ｑ方向からＬＤホルダ１０４Ｙ及びブラケット１１１Ｍを目視した状態を示している。
【００８３】
図６ｂに示すように、ＬＤホルダ１０４に取付けられたシングルレーザビームアレイ１０８Ｙには、電流を供給するためのソケット２０４及びリード線２０６が接続されている。
【００８４】
ＬＤホルダ１０４Ｙは、締結穴２０８Ｙ及び２１０Ｙにネジ１１０Ｙが締結されることで、側壁１０２Ｇ上に固定されている。また、ブラケット１１１Ｍは、図示しない支柱に固定されている。
【００８５】
ここで、ブラケット１１１Ｍが、ＬＤホルダ１０４Ｙよりも側壁１０２Ｇから離れる側に位置するとともに、ＬＤホルダ１０４Ｙとブラケット１１１Ｍとが所定の幅Ｗ２でオーバーラップするように配置されている。
【００８６】
次に、本発明の第１実施形態の作用について説明する。
【００８７】
まず、図示しない光源位置調整用治具を用いて、図２に示すＬＤホルダ１０４Ｙ〜１０４Ｋをそれぞれ移動させながら、シングルレーザビームアレイ１０８Ｙ〜１０８Ｋの光軸位置を調整し、ネジ１１０Ｙ〜１１０ＫでＬＤホルダ１０４Ｙ〜１０４Ｋを固定する。
【００８８】
次に、第１ケース部に設けられた反射ミラー等の各光学部品の傾き、位置調整を行い、それぞれネジ締め又は接着等の固定手段により固定する。
【００８９】
次に、第２ケース部において、分離ミラー１５２、１５４の傾き、位置調整を行い、ネジ締め又は接着等の固定手段により固定する。
【００９０】
次に、各光ビーム６０Ｙ〜６０Ｋの出射方向を調整するため、反射ミラー１１６Ｙ〜１１６Ｋの位置及び傾き調整を行う。
【００９１】
このとき、ブラケット１１１Ｙ〜１１１Ｋを、それぞれ矢印Ｄ、Ｅ、Ｆ、Ｇの方向に移動させながら調整を行うが、ＬＤホルダ１０４Ｋとブラケット１１１Ｍとはオーバーラップして配置されているので、ブラケット１１１Ｍの調整時にＬＤホルダ１０４Ｋとブラケット１１１Ｍは干渉しない。
【００９２】
また、光ビーム６０Ｙ〜６０Ｋの光路において、上流側に位置するＬＤホルダ１０４Ｋの方が、下流側に位置するブラケット１１１Ｍよりも側壁１０２Ｇ側にあるので、ブラケット１１１Ｍの位置を調整するときにＬＤホルダ１０４Ｋに接触することはない。
【００９３】
次に、調整後、ブラケット１１１Ｙ〜１１１Ｋをネジ１２０Ｙ〜１２０Ｋで固定して、反射ミラー１１６Ｙ〜１１６Ｋを側壁１０２Ｇに固定する。
【００９４】
次に、シングルレーザビームアレイ１０８Ｋを発光させ、ポリゴンミラー１４０を回転する。ここで、検知基板１３０を矢印Ｈの方向に移動させながら、受光素子１３１からの出力を確認し、受光素子１３１及び検知基板１３０の位置調整を行う。
【００９５】
このとき、検知基板１３０とブラケット１１１Ｃ及び１１１Ｋとはオーバーラップして配置されているので、検知基板１３０の位置調整時に、検知基板１３０とブラケット１１１Ｃ及び１１１Ｋとは干渉しない。
【００９６】
これらの調整工程により、光走査装置１００の調整が行われる。
【００９７】
以上説明したように、オーバーラップさせた各調整部材は干渉しないので、光走査装置１００を小型化した場合でも、各調整部材の大きさを変更する必要はなく、調整の作業性が維持される。
【００９８】
次に、本発明の光走査装置及び画像形成装置の第２実施形態を図面に基づき説明する。
【００９９】
なお、前述した第１実施形態と基本的に同一の部品には、前記第１実施形態と同一の符号を付与してその説明を省略する。
【０１００】
図７ａは、光走査装置１００の光学箱１０２の部分側面図であり、ＬＤホルダ１０４ＫとＬＤホルダ１０４Ｃとが幅Ｗ３でオーバーラップしている状態を示している。
【０１０１】
図７ｂは、図７ａにおいて矢印Ｒ方向からＬＤホルダ１０４Ｋ及びＬＤホルダ１０４Ｃを目視した状態を示している。
【０１０２】
図７ｂに示すように、ＬＤホルダ１０４Ｋ及び１０４Ｃ上のシングルレーザビームアレイ１０８Ｋ、１０８Ｃには、電流を供給するためのソケット２１４Ｃ、２１４Ｋ及びリード線２１６Ｃ、２１６Ｋがそれぞれ接続されている。
【０１０３】
ＬＤホルダ１０４Ｋは、締結穴２０８Ｋ及び２２０Ｋにネジ１１０Ｋが締結されることで、側壁１０２Ｇに固定されている。
【０１０４】
ＬＤホルダ１０４Ｃは、締結穴２０８Ｃにネジ１１０Ｃが締結されることにより、側壁１０２Ｇから立設された支柱２１８に固定されている。
【０１０５】
ここで、ＬＤホルダ１０４Ｃは、支柱２１８の高さの分だけＬＤホルダ１０４Ｋよりも側壁１０２Ｇから離れた位置にあり、ＬＤホルダ１０４Ｋの一部を覆うようにＷ３の幅でオーバーラップして配置されている。
【０１０６】
次に、本発明の第２実施形態の作用について説明する。
【０１０７】
まず、画像形成時の黒色用の光ビーム６０Ｋの光軸調整を行う。
【０１０８】
光軸調整は、図示しない調整治具を用いて、ＬＤホルダ１０４Ｋを移動させながら光軸位置を確認し、所定の光軸位置となった時点でＬＤホルダ１０４Ｋをネジ１１０Ｋで固定して、シングルレーザビームアレイ１０８Ｋの位置を固定する方法で行われる。
【０１０９】
次に、画像形成時のカラー用の光ビーム６０Ｙ、６０Ｍ、６０Ｃの光軸調整が光ビーム６０Ｋの光軸調整と同様の手順で行われ、シングルレーザビームアレイ１０８Ｙ、１０８Ｍ、１０８Ｃの位置が固定される。
【０１１０】
このとき、ＬＤホルダ１０４ＫとＬＤホルダ１０４Ｃとはオーバーラップして配置されているので、ＬＤホルダ１０４ＫとＬＤホルダ１０４Ｃは干渉しない。
【０１１１】
また、ＬＤホルダ１０４Ｋの方が、ＬＤホルダ１０４Ｃよりも側壁１０２Ｇに近い側にあるので、ＬＤホルダ１０４Ｃの位置を調整するときにＬＤホルダ１０４Ｋに接触することはない。
【０１１２】
このように、オーバーラップさせた各ＬＤホルダ１０４Ｋ、１０４Ｃは干渉しないので、光走査装置１００を小型化した場合でも、各調整部材の大きさを変更する必要はなく、調整の作業性が維持される。
【０１１３】
次に、本発明の光走査装置及び画像形成装置の第３実施形態を図面に基づき説明する。
【０１１４】
なお、前述した第１、第２実施形態と基本的に同一の部品には、前記第１、第２実施形態と同一の符号を付与してその説明を省略する。
【０１１５】
図８に示すように、光走査装置２３０は、前述の第１実施形態と同じ光源及び光学部品で構成され、光ビームの光路６０Ｍ（図１参照）上に配置される反射ミラー１５８、反射ミラー１１６Ｍを備えている。
【０１１６】
光走査装置２３０の側壁２３２上には、反射ミラー１５８、１１６Ｍの位置（姿勢）調整を行うためのブラケット２３３、２３５が設けられている。
【０１１７】
ブラケット２３３、２３５は、それぞれ上部ブラケット２３６、２４８と、下部ブラケット２３４、２４６とで構成されている。上部ブラケット２３６、２４８は、ネジ１２８Ｍにより下部ブラケット２３４、２４６上に固定されている。
【０１１８】
上部ブラケット２３６、２４８及び下部ブラケット２３４、２４６には、貫通した挿通穴２４２、２５４が形成されており、反射ミラー１５８、１１６Ｍを挿通するとともに保持している。
【０１１９】
また、反射ミラー１５８、１１６Ｍの端部は、上部ブラケット２３６、２４８に一端が固定された板バネ２４４、１１８Ｍにより、軸方向（紙面の表から裏に向かう方向）の移動が規制されている。
【０１２０】
下部ブラケット２３４、２４６には、それぞれ一組の長穴２４０、２５２が形成されている。
【０１２１】
長穴２４０、２５２には、側壁２３２に立設された支持ボス２３８、２５０がそれぞれ挿通されている。これにより、ブラケット２３３、２３５が矢印Ｊ、Ｋ方向に移動可能となっている。
【０１２２】
また、ブラケット２３３、２３５は、反射ミラー１５８、１１６Ｍの位置調整前において、ネジ１２０Ｍで側壁２３２上にゆるく仮固定されている。
【０１２３】
ここで、ブラケット２３５が、ブラケット２３３よりも側壁２３２から離れる側に位置するとともに、ブラケット２３３とブラケット２３５とが所定の幅Ｗ４でオーバーラップするように配置されている。
【０１２４】
次に、本発明の第３実施形態の作用について説明する。
【０１２５】
光走査装置２３０の図示しない光源が調整された後、反射ミラー１５８、１１６Ｍの位置及び傾き調整を行う。なお、反射ミラー１５８は、図示しない光ビームの光路（６０Ｍ）上において、反射ミラー１１６Ｍよりも上流側にあるので、先に調整する。
【０１２６】
ここで、ブラケット２３３、２３５を、それぞれ矢印Ｊ、Ｋの方向に移動させながら調整を行うが、ブラケット２３３とブラケット２３５とはオーバーラップして配置されているので、ブラケット２３５の調整時にブラケット２３３とブラケット２３５は干渉しない。
【０１２７】
この調整後、ブラケット２３３、２３５は、ネジ１２０Ｍで固定され、反射ミラー１５８、１１６Ｍが側壁２３２に固定される。
【０１２８】
以上説明したように、オーバーラップさせた各調整部材は干渉しないので、光走査装置１００を小型化した場合でも、各調整部材の大きさを変更する必要はなく、調整の作業性が維持される。
【０１２９】
なお、本発明は上記の実施形態に限定されない。
【０１３０】
オーバーラップする組合せは、側壁１０２Ｇ上で調整する調整部材同士であれば、どのような組合せであってもよい。例えば、ＬＤホルダ１０４Ｃとブラケット１１１Ｙとのオーバーラップであってもよく、ブラケット１１１Ｙとブラケット１１１Ｍとのオーバーラップであってもよい。
【図面の簡単な説明】
【０１３１】
【図１】本発明の第１実施形態に係るプリンタの断面図である。
【図２】本発明の第１実施形態に係る光走査装置の側面図である。
【図３】本発明の第１実施形態に係る光走査装置の断面図である。
【図４】本発明の第１実施形態に係る光走査装置の第１ケース部の平面図（図２のＡＡ’で切断）である。
【図５】本発明の第１実施形態に係る光走査装置の第２ケース部の平面図（図２のＢＢ’で切断）である。
【図６】本発明の第１実施形態に係る光走査装置の部分断面図である。
【図７】（ａ）本発明の第２実施形態に係る光走査装置の部分側面図である。（ｂ）本発明の第２実施形態に係るＬＤホルダの側面図である。
【図８】本発明の第３実施形態に係る光走査装置の部分側面図である。
【符号の説明】
【０１３２】
１０  プリンタ（画像形成装置）
１８  画像形成ユニット（現像部）
２０Ｙ  感光体（被走査体）
２０Ｍ  感光体（被走査体）
２０Ｃ  感光体（被走査体）
２０Ｋ  感光体（被走査体）
３２  転写ロール（転写部）
３６  定着装置（定着部）
１００  光走査装置（光走査装置）
１０２  光学箱（筐体）
１０２Ｇ  側壁（外壁）
１０４Ｙ  ＬＤホルダ（調整部材、黒以外用調整部材）
１０４Ｍ  ＬＤホルダ（調整部材、黒以外用調整部材）
１０４Ｃ  ＬＤホルダ（調整部材、下流側光源調整部材、黒以外用調整部材）
１０４Ｋ  ＬＤホルダ（調整部材、上流側光源調整部材、黒用調整部材）
１０８Ｙ  シングルレーザビームアレイ（光源）
１０８Ｍ  シングルレーザビームアレイ（光源）
１０８Ｃ  シングルレーザビームアレイ（光源）
１０８Ｋ  シングルレーザビームアレイ（光源）
１１１Ｙ  ブラケット（調整部材）
１１１Ｍ  ブラケット（調整部材）
１１１Ｃ  ブラケット（調整部材）
１１１Ｋ  ブラケット（調整部材）
１１６Ｙ  反射ミラー（光学部品）
１１６Ｍ  反射ミラー（光学部品）
１１６Ｃ  反射ミラー（光学部品）
１１６Ｋ  反射ミラー（光学部品）
１３０  検知基板（センサ）
１４０  ポリゴンミラー（偏向器）
２３３  ブラケット（上流側光学部品調整部材）
２３５  ブラケット（下流側光学部品調整部材）
【図１】
2008155410.tif 000003
【図２】
2008155410.tif 000004
【図３】
2008155410.tif 000005
【図４】
2008155410.tif 000006
【図５】
2008155410.tif 000007
【図６】
2008155410.tif 000008
【図７】
2008155410.tif 000009
【図８】
2008155410.tif 000010